(57)【要約】【目的】この発明の目的は、盛土の沈下による壁面材の変形を防止し得て、法肩部での施工の安全性を確保し得て、壁面材の変形を防止することにある。【構成】このため、この発明は、壁面材による壁面構造において、壁面材は複数の横部材の両側に互いに重ならないように複数の各側縦部材を固着して設け、下方の壁面材の横部材を上方の壁面材の係合隙間に係合させるとともに、上方の壁面材の横部材を下方の壁面材の係合隙間に係合させて壁面を形成し、取付機構は各側係合溝と係止部とを備えた取付具を設けるとともに連結具を設け、取付具の各側係合溝を壁面材の前面側から各側縦部材に摺動可能に係合させて係止部を背面側に突出させ、この係止部に抗張部材の一端側を係止させて連結具により連結したことを特徴とする。【選択図】        図１
2004204527.tif 000002
【特許請求の範囲】
【請求項１】
壁面を形成する壁面材の背面側に取付機構により抗張部材の一端側を取付けて他端側を前記壁面材から離間する方向に展張し、前記壁面材の背面側に盛土を投入転圧して前記抗張部材を埋設した壁面材による壁面構造において、前記壁面材は、横方向に指向し且つ同一平面内に並列した複数の横部材の両側に縦方向に指向し且つ互いに重ならないように並列した複数の各側縦部材を固着して設け、下方の壁面材の上端に位置する横部材を上方の壁面材の下端に位置する各側縦部材間の係合隙間に係合させるとともに、上方の壁面材の下端に位置する横部材を下方の壁面材の上端に位置する各側縦部材間の係合隙間に係合させて壁面を形成し、前記取付機構は、前記壁面材の各側縦部材に摺動可能に係合する各側係合溝と前記抗張部材を係止する係止部とを備えた取付具を設けるとともに、この取付具の係止部に係止された前記抗張部材を連結する連結具を設け、前記取付具の各側係合溝を前記壁面材の前面側から各側縦部材に摺動可能に係合させて係止部を背面側に突出させ、この係止部に前記抗張部材の一端側を係止させて前記連結具により連結したことを特徴とする壁面材による壁面構造。
【発明の詳細な説明】
【０００１】
【発明の属する技術分野】
この発明は壁面材による壁面構造に係り、特に、盛土の沈下による壁面材の変形を防止し得て、法肩部での施工の安全性を確保し得て、壁面材の変形を防止し得る壁面材による壁面構造に関する。
【従来の技術】
【０００２】
従来の擁壁や補強土等の抗土圧構造物の壁面構造には、壁面材として枠材や土嚢を使用して壁面を形成し、この壁面を形成する壁面材の背面側に取付機構により抗張部材の一端側を取付けて他端側を前記壁面材から離間する方向に展張し、壁面材の背面側に盛土を投入転圧して抗張部材を埋設したものがある。
【０００３】
従来の壁面材による壁面構造には、所定角度に折曲した斜面部と底面部とを有する網状部材からなる壁面材の斜面部に略水平方向に帯状部材を固着し、この帯状部材と底面部とをブレス部材により連絡し、壁面材の底面部に形成した鉤部に抗張部材の一端側を取付けた後に、壁面材の底面部上部に盛土を転圧するとともにブレス部材を盛土内に埋設して第１の土壌層を形成し、この第１の土壌層上部に第２以降の土壌層を順次に形成して補強土壁を構築するものがある（例えば、特許文献１参照。）。
【０００４】
【特許文献１】
特許第３２１０７４５号公報（第２〜３頁、図１〜図３）
【０００５】
【発明が解決しようとする課題】
ところが、従来の壁面材による壁面構造は、壁面材の底面部に形成した鉤部に抗張部材の一端側を取付け、抗張部材の他端側を壁面材から離間する方向に展張して盛土中に埋設している。このため、盛土が沈下した場合には、盛土とともに沈下する抗張部材から力が鉤部を介して直接壁面材に作用し、壁面材を変形させる不都合がある。
【０００６】
また、従来の壁面構造は、壁面材を設置するとともにこの壁面材の底面部に抗張部材の一端側を連結して他端側を展張して設置する作業と、この設置した壁面材の底面部上部及び抗張部材上部に盛土を投入転圧する作業とを、交互に行っている。このため、従来の補強土壁は、施工時に壁面材上部の法肩部に保護柵を立てることができず、作業者の安全性を確保しにくい問題がある。
【０００７】
さらに、従来の壁面構造は、転圧される盛土作業の進捗にともない壁面材に力が作用するため、壁面材に局部変形が発生する問題があり、また、上下に配設される壁面材が接合されていず、壁面全体としての強度が低いため、盛土作業の進捗とともに壁面全体が変形を生じる不都合がある。
【０００８】
【課題を解決するための手段】
そこで、この発明は、上述の不都合を除去するために、壁面を形成する壁面材の背面側に取付機構により抗張部材の一端側を取付けて他端側を前記壁面材から離間する方向に展張し、前記壁面材の背面側に盛土を投入転圧して前記抗張部材を埋設した壁面材による壁面構造において、前記壁面材は、横方向に指向し且つ同一平面内に並列した複数の横部材の両側に沿って指向し且つ互いに重ならないように並列した複数の各側縦部材を固着して設け、下方の壁面材の上端に位置する横部材を上方の壁面材の下端に位置する各側縦部材間の係合隙間に係合させるとともに、上方の壁面材の下端に位置する横部材を下方の壁面材の上端に位置する各側縦部材間の係合隙間に係合させて壁面を形成し、前記取付機構は、前記壁面材の各側縦部材に摺動可能に係合する各側係合溝と前記抗張部材を係止する係止部とを備えた取付具を設けるとともに、この取付具の係止部に係止された前記抗張部材を連結する連結具を設け、前記取付具の各側係合溝を前記壁面材の前面側から各側縦部材に摺動可能に係合させて係止部を背面側に突出させ、この係止部に前記抗張部材の一端側を係止させて前記連結具により連結したことを特徴とする。
【０００９】
【発明の実施の形態】
この発明の壁面材による壁面構造は、複数の横部材の両側に複数の各側縦部材を互いに重ならないように千鳥状に並列して固着した壁面材を設け、下方の壁面材の上端に位置する横部材を上方の壁面材の下端に位置する各側縦部材間の係合隙間に係合させるとともに、上方の壁面材の下端に位置する横部材を下方の壁面材の上端に位置する各側縦部材間の係合隙間に係合させ、下方の壁面材に上方の壁面材を接合して壁面を形成していることにより、上下の壁面材の接合された部分における横部材が、この横部材の両側に互いに重ならないように千鳥状に並列して固着した各側縦部材に対して波打つように変形することによって、上下の壁面材を一体化することができる。
また、この発明の壁面材による壁面構造は、横部材に対して両側に互いに重ならないように千鳥状に並列して固着した各側縦部材が、盛土からの土圧作用時に圧縮側及び引張り側の力を分担し、横部材がせん断に対して抵抗することによって、壁面材全体の強度を向上させることができる。
さらに、この発明の壁面材による壁面構造は、取付機構を構成する取付具の各側係合溝を壁面材の前面側から各側縦部材に摺動可能に係合させて係止部を背面側に突出させ、この係止部に抗張部材の一端側を係止させて連結具により連結したことにより、盛土が沈下した場合に、盛土とともに沈下する抗張部材の取付けられた取付機構の取付具が各側縦部材に沿って下方向に摺動することによって、壁面材に作用しようとする力を逃がすことができる。
【００１０】
【実施例】
以下図面に基づいて、この発明の実施例を説明する。図１〜図９は、この発明の第１実施例を示すものである。図２において、２は地盤、４は基礎、６は支持材、８は壁面材、１０は壁面、１２は取付機構、１４は抗張部材、１６はアンカ、１８は植生シート、２０は盛土、２２は補強土壁である。
【００１１】
壁面１０は、地盤２の基礎４上に支持材６により支持した壁面材８を上方に順次に接合することにより形成される。この壁面１０を形成する壁面材８の背面側には、取付機構１２により抗張部材１４の一端側を取付け、抗張部材１４の他端側を壁面材８から離間する方向に展張してアンカ１６により固定し、壁面材８の背面側に植生シート１８を展設して盛土２０を投入転圧することにより、抗張部材１４を盛土２０中に埋設して補強土壁２２を構築する。
【００１２】
壁面１０を形成する壁面材８は、図３に示す如く、横方向に指向し且つ同一平面内に並列した線材からなる複数の横部材２４の両側に、縦方向に指向し且つ各側において互いに重ならないように並列した線材からなる複数の各側縦部材２６・２８を固着して設けている。これにより、壁面材８は、複数の並列した横部材２４とこの横部材２４を挟んで両側の一側縦部材２６及び他側縦部材２８との固着により立体的網状の３層構造に形成される。
【００１３】
なお、壁面材８は、図４に示す如く、横方向に指向し且つ同一平面内に並列した複数の横部材Ａの一側に縦方向に指向し且つ横方向に並列した複数の縦部材Ｂを固着して壁面材要素Ｃを形成し、この壁面材要素Ｃの２枚を中心線Ｄを中心に上下反転した状態で当接させ、２枚の壁面材要素Ｃの各横部材Ａ及び各縦部材Ｂを固着することにより形成することができる。これにより、壁面材８は、横方向に指向する複数の横部材２４の両側に縦方向に指向する複数の各側縦部材２６・２８が互いに重ならないように千鳥状に並列して固着される。
【００１４】
複数の横部材２４の両側に複数の一側縦部材２６及び他側縦部材２８を互いに重ならないように千鳥状に並列して固着して形成した壁面材８は、図３に示す如く、上端及び下端の一側縦部材２６及び他側縦部材２８間に横部材２４を係合するための横部材２４の径に相当する係合隙間３０を形成して設けている。
【００１５】
壁面材８は、一側縦部材２６の上端を他側縦部材２８の上端よりも上方に延長して一側上端案内部３２を形成して設け、一側縦部材２６の上端より短い他側縦部材２８の上端に他側上端案内部３４を形成して設けている。また、壁面材８は、他側縦部材２８の下端を一側縦部材２６の下端よりも下方に延長して他側下端案内部３６を形成して設け、他側縦部材２８の下端よりも短い一側縦部材２６の下端に一側下端案内部３８を形成して設けている。
【００１６】
上下に配設される壁面材８は、図５に示す如く、上方の壁面材８Ｕを下方の壁面材８Ｌに向かって矢印に示す方向に移動させ、下方の壁面材８Ｌの一側上端案内部３２Ｌ及び他側上端案内部３４Ｌと上方の壁面材８Ｕの他側下端案内部３６Ｕ及び一側下端案内部３８Ｕとをガイドとして、下方の壁面材８Ｌの上端に位置する横部材２４Ｌを、上方の壁面材８Ｕの下端に位置する一側縦部材２６Ｕ及び他側縦部材２８Ｕ間の係合隙間３０Ｕに係合させるとともに、上方の壁面材８Ｕの下端に位置する横部材２４Ｕを、下方の壁面材８Ｌの上端に位置する一側縦部材２６Ｌ及び他側縦部材２８Ｌ間の係合隙間３０Ｌに係合させ、上下の横部材２４Ｕ・２４Ｌを当接させる。
【００１７】
これにより、上下に配設される壁面材８は、図６に示す如く、下方の壁面材８Ｌに上方の壁面材８Ｕが接合されて一体化され、壁面１０を形成する。壁面１０は、下方の壁面材８Ｌと上方の壁面材８Ｕとの各横部材２４Ｌ・２４Ｕを相互に係合隙間３０Ｌ・３０Ｕに係合して保持することにより、接合する部分の強度を向上させることができる。
【００１８】
壁面材８に抗張部材１４を取付ける取付機構１２は、図７に示す如く、取付具４０と連結具４２とからなる。取付具４０は、壁面材８の各側縦部材２６・２８に摺動可能に係合する各側係合溝４４・４６と抗張部材１４を係止する係止部４８とを備えている。連結具４２は、取付具４０の係止部４８に係止された抗張部材１４を連結する。
【００１９】
この実施例の取付具４０は、幅方向の断面において略横Ｕ字形状に形成され、幅方向一側の上下方向において略平行する部分に壁面材８の各側縦部材２６・２８に沿って摺動可能に係合する各側係合溝４４・４６を形成して設け、幅方向他側の略横Ｕ字形状に突出される部分に抗張部材１４を係止する係止部４８を形成して設けている。なお、取付具４０の幅方向一側端には、補強用の折曲げ部５０を形成している。また、連結具４２は、棒状に形成され、略横Ｕ字形状の係止部４８に挿通されて抗張部材１４を連結する。
【００２０】
前記抗張部材１４は、図８に示す如く、ポリオレフィン樹脂等により形成される撓曲可能な板状素材５２からなり、複数の長孔５４を形成して設けている。抗張部材１４は、図９に示す如く、取付機構１２を構成する取付具４０の各側係合溝４４・４６を壁面材８の前面側から各側縦部材２６・２８に摺動可能に係合させて係止部４８を背面側に突出させ、この背面側に突出された係止部４８に一端側の長孔５４を係止させて係止部４８に棒状の連結具４２を挿通することにより連結される。
【００２１】
取付機構１２により一端側を壁面材８に取付けられた抗張部材１４は、図２に示す如く、他端側を壁面材８から離間する方向に展張してアンカ１６により固定される。なお、抗張部材１４は、板状素材５２だけでなく、紐状素材や網状素材、鎖状素材、棒状素材等により形成することができる。
【００２２】
次に作用を説明する。
【００２３】
壁面材８は、図２に示す如く、地盤２に凹設した基礎４上に支持材６により壁面材８を上下方向中間部位まで埋設するように水平方向に並べて支持し、この壁面材８の前面側から各側縦部材２６・２８の上下方向中間部位に取付機構１２の取付具４０の各側係合溝４４・４６を各側縦部材２６・２８に沿って摺動可能に係合させて係止部４８を背面側に突出させる。
【００２４】
背面側に突出された係止部４８には、図９に示す如く、抗張部材１４の一端側の長孔５４を係止させて連結具４２により連結する。壁面材８の背面側に取付機構１４により一端側を取付けた抗張部材１４の他端側は、壁面材８から離間する方向に展張してアンカ１６により固定する。
【００２５】
地盤２の基礎４上に設置した壁面材８は、上端に上方の壁面材８の下端を接合しながら水平方向に並べて設置し、壁面１０を形成する。この壁面１０には、下方の壁面材８の上下方向中間部位から上方の壁面材８の上下方向中間部位まで背面側に植生シート１８を展設し、下方の壁面材８の上下方向中間部位から上方の壁面材８の上下方向中間部位までの背面側及び抗張部材１４の上側に盛土２０を投入して転圧し、第１の土壌層Ｌ１を施工する。
【００２６】
次に、第１の土壌層Ｌ１の上部には、第２の土壌層Ｌ２を施工する。第２の土壌層Ｌ２は、図１に示す如く、第１の土壌層Ｌ１から突出された壁面材８の各側縦部材２６・２８に沿って取付機構１２の取付具４０の各側係合溝４４・４６を摺動可能に係合させて係止部４８を背面側に突出させ、この係止部４８に抗張部材１４の一端側の連結具４２により連結してを壁面材８から離間する方向に展張してアンカ１６により固定する。
【００２７】
第１の土壌層Ｌ１から中間部位上方を突出された壁面材８の上端には、上方の壁面材８の下端を接合しながら水平方向に並べて設置し、壁面１０を形成する。この壁面１０には、下方の壁面材８の上下方向中間部位から上方の壁面材８の上下方向中間部位まで背面側に植生シート１８を展設し、下方の壁面材８の上下方向中間部位から上方の壁面材８の上下方向中間部位までの背面側及び抗張部材１４の上側に盛土２０を投入して転圧し、第２の土壌層Ｌ２を施工する。
【００２８】
以下同様に、第２の土壌層Ｌ２上に第３の土壌層Ｌ３以降を上方に向かって順次に施工し、最上部の土壌層まで施工することにより補強土壁２２を構築する。
【００２９】
このように、壁面材８による壁面１０の構造は、図３に示す如く、複数の横部材２４の両側に互いに重ならないように各側縦部材２６・２８を千鳥状に並列して固着した壁面材８を設け、図６に示す如く、下方の壁面材８の上端に位置する横部材２４を上方の壁面材８の下端に位置する各側縦部材２６・２８間の係合隙間３０に係合させるとともに、上方の壁面材８の下端に位置する横部材２４を下方の壁面材８の上端に位置する各側縦部材２６・２８間の係合隙間３０に係合させて、下方の壁面材８に上方の壁面材８を接合して壁面１０を形成している。
【００３０】
これにより、この壁面１０の構造は、上下の壁面材８の接合された部分における横部材２４が、この横部材２４の両側に互いに重ならないように千鳥状に並列して固着した各側縦部材２６・２８に対して波打つように変形することによって、上下の壁面材８を一体化することができる。
【００３１】
このため、この壁面１０の構造は、一体化した壁面材８全体で盛土２０の変形に抵抗することができ、壁面材８の変形を防止することができるとともに、盛土２０の投入に先行して壁面材８を接合して組み立てることができ、法肩部における一体化した壁面材８を作業者の保護柵として機能させることができ、法肩部での施工の安全性を確保することができる。なお、壁面材８は、この実施例においては、上方向に接合したが、横方向にも接合することができるものである。
【００３２】
また、この壁面１０の構造は、横部材２４に対して両側に複数の各側縦部材２６・２８を互いに重ならないように千鳥状に並列して固着したことにより、一側縦部材２６及び他側縦部材２８が盛土２０からの土圧作用時に夫々圧縮側及び引張り側の力を分担し、横部材２４が各側縦部材２６・２８を結合してせん断に対して抵抗することによって、壁面１０全体の強度を向上させることができる。
【００３３】
さらに、この壁面１０の構造は、横部材の一側にのみ縦部材を配置して固着した従来の壁面材と比較して、縦横各々の方向の部材が同じ形状面積、同数配置の場合に、横部材２４の両側に各側縦部材２６・２８を互いに重ならないように千鳥状に並列して固着した壁面材８の強度が勝り、また、同一強度であれば部材径を小さくすることができ、あるいは部材間を広げて本数を減らすことができるため、従来の壁面材に比較して材料量を少なくすることができ、軽量化することができるとともに経済的なものとすることができる。
【００３４】
さらにまた、この壁面１０の構造は、図９に示す如く、取付機構１２の取付具４０の各側係合溝４４・４６を壁面材８の前面側から各側縦部材２６・２８に沿って摺動可能に係合させるとともに、背面側に突出された係止部４８に抗張部材１４の一端側を連結具４２により連結して他端側を壁面材８から離間する方向に展張したことにより、盛土２０が沈下した場合に、盛土２０とともに沈下する抗張部材１４の連結された取付具４０が各側縦部材２６・２８に沿って下方向に摺動することになり、壁面材８に作用しようとする力を逃がすことができる。
【００３５】
このため、この壁面１０の構造は、盛土２０の沈下により壁面材８に壁面１０の鉛直下方への力や抗張部材１４の張力等の設計外の力が作用することを回避でき、壁面材８の変形を防止することができる。
【００３６】
なお、この実施例においては、壁面材８を、図４に示す如く、横部材Ａの一側に縦部材Ｂを固着した壁面材要素Ｃの２枚を中心線Ｄを中心に上下反転した状態で当接させて固着することにより形成しているが、一方の壁面材要素Ｃに対して他方の壁面材要素Ｃの横部材Ａ及び縦部材Ｂの本数や配置、形状を上下反転させた形状とすることもでき、また、横部材Ａ及び縦部材Ｂを機械にて溶接して壁面材要素Ｃを製造することができ、機械製造した一方の壁面材要素Ｃに他方の壁面材要素Ｃを反転させて当接固着することにより、製造工程を省いて省力化を図ることができる。
【００３７】
また、この実施例においては、壁面材８を表裏対称形状に形成していることにより、沈下その他による前面側に突となる押し出し変形や背面側に凹となる引き込み変形のいずれの変形に対しても対応することができる。
【００３８】
さらに、この実施例においては、同じ構造の壁面材８を上下に接合したが、横部材２４を傾斜させた傾斜部材として両側に各側縦部材２６・２８を固着した壁面材８や、横部材２４あるいは各側縦部材２６・２８の本数を異ならせた壁面材８、横部材２４あるいは各側縦部材２６・２８の長さを異ならせた壁面材８を、上下に接合することもできる。
【００３９】
さらにまた、この実施例においては、複数の並列した横部材２４の両側に複数の各側縦部材２６・２８を固着して３層構造の壁面材８としたが、横部材２４の両側に各側縦部材２６・２８を固着するとともに各側縦部材２６・２８のいずれか一方の外側に横部材を固着して４層構造の壁面材８とすることにより、縦方向と同時に横方向に対する曲げ強度を向上することができ、また、壁面１０の部分的に大きな外力が予想される部分や局所変形が予想される部分に４層構造の壁面材８を取付けることにより、局部的な補強対策とすることができる。
【００４０】
図１０は、第２実施例を示すものである。第２実施例の壁面１０の構造は、図１０（Ａ）に示す如く、下方の壁面材８Ｌの上端に位置する横部材２４Ｌ及び上方の壁面材８Ｕの下端に位置する横部材２４Ｕを、接合初期に互いに当接させることなく、盛土２０の想定される沈下量に相当する長さの余裕間隙Ｄ１を設けて上方の壁面材８Ｕの空間３０Ｕ及び下方の壁面材８Ｌの空間３０Ｌに夫々係合させ、上下の壁面材８を接合したものである。
【００４１】
第２実施例の壁面１０の構造は、上下に接合される壁面材８は、盛土２０が沈下した場合に、図１０（Ｂ）に示す如く、初期の余裕間隙Ｄ１が沈下時の余裕間隙Ｄ２に小さくなる（Ｄ１＞Ｄ２）ように、上方の壁面材８Ｕが下方へ移動することを許容させることができるため、盛土１６の沈下による変形に追随させることができ、壁面材８及び抗張部材１４に発生する力を抑制することができる。
【００４２】
図１１は、第３実施例を示すものである。第３実施例の壁面１０の構造は、壁面材８の上下端の各側縦部材２６・２８の係合隙間３０側に、横部材２４と係合する各側係合突部５６・５８を形成して設けている。
【００４３】
この壁面１０の構造は、図１１（Ａ）に示す如く、下方の壁面材８Ｌの上端に位置する横部材２４Ｌを上方の壁面材８Ｕの係合隙間３０Ｕの各側係合突部５６Ｕ・５８Ｕの下側に係合させるとともに、上方の壁面材８Ｕの下端に位置する横部材２４Ｕを下方の壁面材８Ｌの係合隙間３０Ｌの各側係合突部５６Ｌ・５８Ｌの上側に係合させた状態で上下の壁面材８を接合する。
【００４４】
上下の壁面材８Ｕ・８Ｌの各横部材２４Ｕ・２４Ｌは、図１１（Ｂ）に示す如く、壁面１０に平行する方向に設定以上の力が加わると、下方の壁面材８Ｌの横部材２４Ｌが上方の壁面材８Ｕの各側係合突部５６Ｕ・５８Ｕを押し分けて上方に移動するとともに、上方の壁面材８Ｕの横部材２４Ｕが下方の壁部材８Ｌの各側係合突部５６Ｌ・５８Ｌを押し分けて下方に移動し、互いに当接する。
【００４５】
第３実施例の壁面１０の構造は、上下の壁面材８Ｕ・８Ｌの各下端の横部材２４Ｕ・２４Ｌが各側係合突部５６Ｕ・５８Ｕ、５６Ｌ・５６Ｌに係合した状態では各横部材２４Ｕ・２４Ｌ間にある間隔Ｄ３を持って上下の壁面材８Ｕ・８Ｌを接合し、設定以上の力が加わると各壁面材８Ｕ・８Ｌが各側係合突部５６Ｕ・５８Ｕ、５６Ｌ・５８Ｌを押し分けて間隔Ｄ３が無くなるように移動することにより、上方の壁面材８Ｕが下方へ移動することを許容させて盛土２０の沈下による変形に追随させることができ、壁面材８及び抗張部材１４に発生する力を抑制することができる。
【００４６】
また、第３実施例の壁面１０の構造は、上下の壁面材８Ｕ・８Ｌの各下端の横部材２４Ｕ・２４Ｌが各側係合突部５６Ｕ・５８Ｕ、５６Ｌ・５６Ｌを押し分けて移動した状態では、各側係合突部５６Ｕ・５８Ｕ、５６Ｌ・５６Ｌによって各横部材２４Ｕ・２４Ｌが係合隙間３０Ｕ・３０Ｌから抜けることを防止することができ、壁面材８の引き抜きを防止して壁面材８をより強固に一体化することができ、壁面１０の変形を防止することができる。
【００４７】
図１２〜図１４は、第４実施例を示すものである。第４実施例の壁面１０の構造は、図１２に示す如く、複数の横部材２４の両側に複数の各側縦部材２６・２８を互いに重ならないように千鳥状に並列して固着した壁面材８を設け、上端及び下端の各側縦部材２６・２８間に横部材２４を係合するための横部材２４の径に相当する係合隙間３０を形成して設けている。
【００４８】
壁面材８は、一側縦部材２６の上端を他側縦部材２８の上端よりも上方に延長するとともに他側縦部材２８側に折曲して一側当接部６０を形成して設け、一側縦部材２６の上端よりも短い他側縦部材２８の上端を一側当接部６０と平行になるように折曲して他側案内部６２を形成して設けている。また、壁面材８は、他側縦部材２８の下端を一側縦部材２６の下端よりも下方に延長するとともに一側縦部材２６側に折曲して他側当接部６４を形成して設け、他側縦部材２８の下端よりも短い一側縦部材２６の下端を他側当接部６４と平行になるように折曲して一側案内部６６を形成して設けている。
【００４９】
第４実施例の壁面１０の構造は、図１３に示す如く、上下に配設される壁面材８Ｕ・８Ｌを接合する際に、上方の壁面材８Ｕを下方の壁面材８Ｌに向かって矢印に示す方向に移動させ、下方の壁面材８Ｌ上端の一側当接部６０Ｌ及び他側案内部６２Ｌと上方の壁面材８Ｕ下端の他側当接部６４Ｕ及び一側案内部６６Ｕとをガイドとして、下方の壁面材８Ｌの上端に位置する横部材２４Ｌを、上方の壁面材８Ｕの下端に位置する各側縦部材２６Ｕ・２８Ｕ間の係合隙間３０Ｕに係合させるとともに、上方の壁面材８Ｕの下端に位置する横部材２４Ｕを、下方の壁面材８Ｌの上端に位置する各側縦部材２６Ｌ・２８Ｌ間の係合隙間３０Ｌに係合させる。
【００５０】
また、壁面材８は、下方の壁面材８Ｌ上端の一側当接部６０Ｌの先端を、上方の壁面材８Ｕの下端の横部材２４Ｕよりも上方に位置する横部材２４Ｕに当接させるとともに、上方の壁面材６Ｕ下端の他側当接部６４Ｕの先端を、下方の壁面材８Ｌの上端の横部材２４Ｌよりも下方に位置する横部材２４Ｌに当接させる。
【００５１】
第４実施例の壁面１０の構造は、図１４に示す如く、一側当接部６０Ｌ及び他側当接部６４Ｕの先端が横部材２４Ｕ及び横部材２４Ｌに当接することにより接合する部分の強度を向上させることができ、また、各側縦部材２６・２８の一部の上端を延長して逆面側に折曲し、一側当接部６０Ｌ及び他側当接部６４Ｕを形成していることにより、曲げ変形の際に凹側線材の強度に依存していた接合部分の曲げ強度に、凸側線材の効果を付加することができ、壁面材８の曲げ強度の向上を図ることができる。
【００５２】
図１５・図１６は、第５実施例を示すものである。第５実施例の壁面１０の構造は、複数の横部材２４を平面視において前後方向に複数回折り返して連続した山形形状に形成し、折り曲げにより形成された一側・他側突縁部６８・７０に夫々複数の各側縦部材２６・２８を並列して固着し、各側縦部材２６・２８の間隔Ｄ４を広げた壁面材８を形成して設けたものである。
【００５３】
第５実施例の壁面１０の構造は、横部材２４を複数回折り返して平面視において連続した山形形状に形成したことにより、直線形状の横部材２４を用いた壁面材８よりも変形量を小さくし、強度を向上させることができ、また、壁面材８の各側縦部材２６・２８の間隔Ｄ４を広げたことにより、壁面材８をさらに立体的な構造に形成して剛性を高めることができるとともに、横部材２４に発生する応力を主として引張り力とすることができ、壁面材８の強度向上に対して有効に寄与することができる。
【００５４】
図１７〜図１９は、第６実施例を示すものである。第６実施例の壁面１０の構造は、複数の横部材２４を正面視において上下方向に複数回折り返して連続した山形形状に形成し、折り曲げにより形成された上側に凸の山部７２に圧縮側の一側縦部材２６を並列して固着するとともに下側に凸の谷部７４に引張り側の他側縦部材２８を並列して固着し、壁面材８を形成して設けたものである。
【００５５】
第６実施例の壁面１０の構造は、横部材２４を複数回折り返して正面視において連続した山形形状に形成し、横部材２４の山部７２に圧縮側の一側縦部材２６を固着するとともに谷部７４に引張り側の他側縦部材２８を固着したことにより、横部材２４に発生する応力を主として引張り力とすることができ、壁面材８の強度向上に対して有効に寄与することができる。
【００５６】
なお、横部材２４の両側に各側縦部材２６・２８を固着した壁面材８は、斜め方向に指向する傾斜部材を横部材２４の代替として形成することにより、同様の効果を得ることができる。また、壁面材８は、横部材２４を挟んで各側縦部材２６・２８を互いに交差するように斜め方向に配置して固着することにより、同様の効果を得ることができる。
【００５７】
即ち、図２０は、第７実施例を示すものである。第７実施例の壁面１０の構造は、壁面材８を、斜め方向に指向し且つ同一平面内に並列した複数の傾斜部材７６の一側に縦方向に指向する複数の一側縦部材２６を並列して固着するとともに、複数の傾斜部材２４の他側に一側縦部材２６と重ならないように縦方向に指向する複数の他側縦部材２８を並列して固着して形成したものである。
【００５８】
第７実施例の壁面１０の構造は、複数の傾斜部材７６を挟んで両側に各側縦部材２６・２８を互いに重ならないように縦方向に千鳥状に配置して固着し、壁面材８を形成したことにより、前述第６実施例と同様の効果を得ることができる。
【００５９】
また、図２１は、第８実施例を示すものである。第８実施例の壁面１０の構造は、壁面材８を、複数の横部材２４の一側に斜め方向に指向する複数の一側傾斜部材７８を並列して固着するとともに、複数の横部材２４の他側に一側傾斜部材７８と交差するように逆の斜め方向に指向する複数の他側傾斜部材８０を並列して固着して形成したものである。
【００６０】
第８実施例の壁面１０の構造は、横部材２４を挟んで両側に各側傾斜部材７８・８０を互いに交差するように斜め方向に配置して固着することにより、前述第６実施例と同様の効果を得ることができ、また、複数の横部材２４の両側に互いに逆の斜め方向に指向する複数の各側傾斜部材７８・８０を固着し、壁面材８を形成したことにより、壁面材８としての部材強度を増大させることができ、一体化した壁面材８の変形を防止することがでる。
【００６１】
【発明の効果】
このように、この発明の壁面材による壁面構造は、上下の壁面材の接合された部分における横部材が、この横部材の各側に互いに重ならないように千鳥状に並列して固着した各側縦部材に対して波打つように変形することによって、上下の壁面材を一体化することができる。このため、一体化した壁面材全体で変形に抵抗することができ、壁面材の変形を防止することができるとともに、法肩部における一体化した壁面材を作業者の保護柵として機能させることができ、法肩部での施工の安全性を確保することができる。
また、この発明の壁面材による壁面構造は、各側縦部材が土圧作用時に圧縮側及び引張り側の力を分担し、横部材がせん断に対して抵抗することによって、壁面全体の強度を向上させることができる。このため、従来の壁面材に比較して鉄筋等の材料量を少なくすることができ、軽量化することができる。
さらに、この発明の壁面材による壁面構造は、盛土が沈下した場合に、盛土とともに沈下する抗張部材の取付けられた取付機構の取付具が各側縦部材に沿って下方向に摺動することによって、壁面材に作用しようとする力を逃がすことができる。このため、盛土の沈下により壁面材に設計以上の力が作用することを回避でき、壁面材の変形を防止することができる。
【図面の簡単な説明】
【図１】第１実施例を示す壁面材による壁面構造の要部拡大断面図である。
【図２】壁面構造の断面図である。
【図３】（Ａ）は壁面材の側面図である。
（Ｂ）は壁面材の正面図である。
（Ｃ）は壁面材の平面図である。
【図４】（Ａ）は壁面材要素の側面図である。
（Ｂ）は壁面材要素の正面図である。
【図５】（Ａ）は接合前の壁面材の側面図である。
（Ｂ）は接合後の壁面材の側面図である。
【図６】接合した壁面材の斜視図である。
【図７】取付機構の斜視図である。
【図８】抗張部材の斜視図である。
【図９】取付機構により抗張部材を取付けた壁面材の斜視図である。
【図１０】（Ａ）は第２実施例を示す盛土変形前の接合した壁面材の側面図である。
（Ｂ）は第２実施例を示す盛土変形後の接合した壁面材の側面図である。
【図１１】（Ａ）は第３実施例を示す接合前の壁面材の側面図である。
（Ｂ）は第３実施例を示す接合後の壁面材の側面図である。
【図１２】（Ａ）は第４実施例を示す壁面材の側面図である。
（Ｂ）は第４実施例を示す壁面材の正面図である。
（Ｃ）は第４実施例を示す壁面材の平面図である。
【図１３】（Ａ）は第４実施例を示す接合前の壁面材の側面図である。
（Ｂ）は第４実施例を示す接合後の壁面材の側面図である。
【図１４】第４実施例を示す接合した壁面材の斜視図である。
【図１５】第５実施例を示す壁面材の要部拡大斜視図である。
【図１６】第５実施例を示す壁面材の要部拡大平面図である。
【図１７】第６実施例を示す壁面材の要部拡大正面図である。
【図１８】第６実施例を示す壁面材の要部拡大平面図である。
【図１９】第６実施例を示す壁面材の要部拡大斜視図である。
【図２０】第７実施例を示す壁面材の要部拡大正面図である。
【図２１】第８実施例を示す壁面材の要部拡大正面図である。
【符号の説明】
２  地盤
４  基礎
６  支持材
８  壁面材
１０  壁面
１２  取付機構
１４  抗張部材
１６  アンカ
１８  植生シート
２０  盛土
２２  補強土壁
２４  横部材
２６  一側縦部材
２８  他側縦部材
３０  係合隙間
３２  一側上端案内部
３４  他側上端案内部
３６  一側下端案内部
３８  他側下端案内部
４０  取付具
４２  連結具
４４  一側係合溝
４６  他側係合溝
４８  係止部
５０  折曲げ部
５２  板状素材
５４  長孔
【図１】
2004204527.tif 000003
【図２】
2004204527.tif 000004
【図３】
2004204527.tif 000005
【図４】
2004204527.tif 000006
【図５】
2004204527.tif 000007
【図６】
2004204527.tif 000008
【図７】
2004204527.tif 000009
【図８】
2004204527.tif 000010
【図９】
2004204527.tif 000011
【図１０】
2004204527.tif 000012
【図１１】
2004204527.tif 000013
【図１２】
2004204527.tif 000014
【図１３】
2004204527.tif 000015
【図１４】
2004204527.tif 000016
【図１５】
2004204527.tif 000017
【図１６】
2004204527.tif 000018
【図１７】
2004204527.tif 000019
【図１８】
2004204527.tif 000020
【図１９】
2004204527.tif 000021
【図２０】
2004204527.tif 000022
【図２１】
2004204527.tif 000023
【手続補正書】
【提出日】平成15年1月8日(2003.1.8)
【手続補正１】
【補正対象書類名】図面
【補正対象項目名】全図
【補正方法】変更
【補正の内容】
【図１】
2004204527.tif 000024
【図２】
2004204527.tif 000025
【図３】
2004204527.tif 000026
【図４】
2004204527.tif 000027
【図５】
2004204527.tif 000028
【図６】
2004204527.tif 000029
【図７】
2004204527.tif 000030
【図８】
2004204527.tif 000031
【図９】
2004204527.tif 000032
【図１０】
2004204527.tif 000033
【図１１】
2004204527.tif 000034
【図１２】
2004204527.tif 000035
【図１３】
2004204527.tif 000036
【図１４】
2004204527.tif 000037
【図１５】
2004204527.tif 000038
【図１６】
2004204527.tif 000039
【図１７】
2004204527.tif 000040
【図１８】
2004204527.tif 000041
【図１９】
2004204527.tif 000042
【図２０】
2004204527.tif 000043
【図２１】
2004204527.tif 000044